(57)【要約】【課題】  用紙収容部に収容される用紙サイズと異なる位置にサイドフェンス部材がセットされるのを抑制することが可能な用紙カセットを提供する。【解決手段】  この用紙カセット３０は、用紙収容部３１に収容される用紙に当接可能なように、用紙のサイズに合わせて移動するサイドフェンス部材３３と、サイドフェンス部材３３の配置位置を用紙のサイズに対応させて規定するインジケータ３６とを備えている。また、インジケータ３６は、互いに異なる位置に設けられた、インチ単位系に基づく指標４１ａを有するインチサイズ表示部４１と、センチ単位系に基づく指標４２ａを有するセンチサイズ表示部４２とを含んでおり、サイドフェンス部材３３は、インチサイズ表示部４１の指標４１ａを指示するインチ指標指示部５１と、センチサイズ表示部４２の指標４２ａを指示するセンチ指標指示部５２とを含んでいる。【選択図】  図４
2007051002.tif 000002
【特許請求の範囲】
【請求項１】
複数のサイズの用紙を収容可能な用紙収容部と、
前記用紙収容部に収容される用紙の所定の辺に当接可能なように、前記用紙のサイズに合わせて移動するサイドフェンス部材と、
前記サイドフェンス部材の配置位置を、前記用紙のサイズに対応させて規定する位置規定部とを備え、
前記位置規定部は、互いに異なる位置に設けられた、少なくとも、
第１指標基準に基づいて設定された指標を有する第１サイズ表示部と、
前記第１指標基準とは異なる基準の第２指標基準に基づいて設定された指標を有する第２サイズ表示部とを含み、
前記サイドフェンス部材は、
前記第１サイズ表示部の指標を指示する第１指示部と、
前記第２サイズ表示部の指標を指示する第２指示部とを含む、用紙カセット。
【請求項２】
前記位置規定部は、前記サイドフェンス部材の移動方向と直交する方向の端部近傍に設けられ、
前記第２サイズ表示部は、前記第１サイズ表示部よりも前記サイドフェンス部材側に配置され、
前記第１指示部は、前記サイドフェンス部材の端部から前記位置規定部に向かって所定の突出量で突出するとともに、
前記第２指示部は、前記第１指示部から前記サイドフェンス部材の移動方向に所定間隔を隔てた位置に設けられ、前記サイドフェンス部材の端部から前記位置規定部に向かって前記第１指示部の突出量よりも小さい突出量で突出する、請求項１に記載の用紙カセット。
【請求項３】
前記第１指標基準は、インチ単位系であり、
前記第２指標基準は、センチ単位系である、請求項１または２に記載の用紙カセット。
【発明の詳細な説明】
【技術分野】
【０００１】
本発明は、用紙カセットに関し、特に、複写機やプリンタなどの画像形成装置に装着される用紙カセットに関する。
【背景技術】
【０００２】
従来、複写機やプリンタなどの画像形成装置に装着される用紙カセットが知られている（たとえば、特許文献１参照）。このような用紙カセットは、複数のサイズの用紙（記録紙）を収容可能なように構成されており、収容した用紙を画像形成装置の画像形成部に供給する機能を有している。また、当該用紙カセットに用紙を補給（収容）する際には、用紙補給前に、用紙カセット内のサイドフェンス部材を所定位置にスライド移動させて、補給用紙のサイズに対応した所定領域（幅）を用紙カセット内に予め形成する。この前処理によって、用紙カセットに収容された用紙には、サイドフェンス部材が当接することになるので、画像形成装置本体への給紙時には、用紙をサイドフェンス部材により確実に誘導しながら画像形成部に送り込むことができる。これにより、画像形成時に画像の位置ずれ等の不具合が発生するのを抑制している。
【０００３】
また、用紙カセットには、サイドフェンス部材を補給用紙のサイズに対応した所定位置に容易に配置する機能（手段）としてのインジケータが設けられている。このインジケータには、用紙サイズを規格化して示すためのインチ単位系やセンチ単位系などの種々の異なる単位系（指標基準）に基づく複数の指標が同列上に混在して表示されており、サイドフェンス部材をインジケータの所定の指標に合わせることにより、所望の位置に配置可能なように構成されている。
【０００４】
また、従来、サイドフェンス部材のインジケータの指標に対応する部分を凸状に形成することにより、サイドフェンス部材をインジケータの指標に合わせ易くする技術も知られている。
【特許文献１】特開平７−１１７８６３号公報
【発明の開示】
【発明が解決しようとする課題】
【０００５】
しかしながら、上記のような従来の用紙カセットのインジケータでは、センチ単位系に基づく指標とインチ単位系に基づく指標とが同一列上に混在して配置されていたため、インジケータ上の指標同士の間隔が狭くなるという不都合がある。特に、センチ単位系に基づく指標のＡ４サイズ（２１０ｍｍ）の表示位置とインチ単位系に基づく指標の８．５×１１サイズ（２１５．９ｍｍ）の表示位置との間隔が、極めて狭くなるという不都合がある。これにより、サイドフェンス部材を所望の指標に的確に合わせるのが困難であり、用紙収容部に収容される用紙のサイズと異なる位置にサイドフェンス部材がセットされる場合があるという問題点がある。
【０００６】
この発明は、上記のような課題を解決するためになされたものであり、用紙収容部に収容される用紙サイズと異なる位置にサイドフェンス部材がセットされるのを抑制することが可能な用紙カセットを提供することを目的とする。
【課題を解決するための手段】
【０００７】
上記目的を達成するために、この発明の請求項１に記載の用紙カセットは、複数のサイズの用紙を収容可能な用紙収容部と、用紙収容部に収容される用紙の所定の辺に当接可能なように、用紙のサイズに合わせて移動するサイドフェンス部材と、サイドフェンス部材の配置位置を、用紙のサイズに対応させて規定する位置規定部とを備え、位置規定部は、互いに異なる位置に設けられた、少なくとも、第１指標基準に基づいて設定された指標を有する第１サイズ表示部と、第１指標基準とは異なる基準の第２指標基準に基づいて設定された指標を有する第２サイズ表示部とを含み、サイドフェンス部材は、第１サイズ表示部の指標を指示する第１指示部と、第２サイズ表示部の指標を指示する第２指示部とを含むことを特徴とする。
【０００８】
この請求項１に記載の用紙カセットでは、上記のように、第１指標基準に基づいて設定された指標を有する第１サイズ表示部と第２指標基準に基づいて設定された指標を有する第２サイズ表示部とを互いに異なる位置に設け、第１サイズ表示部の指標をサイドフェンス部材の第１指示部により指示するとともに、第２サイズ表示部の指標をサイドフェンス部材の第２指示部により指示するように構成することによって、サイドフェンス部材の第１指示部が第１サイズ表示部のみを指示するとともに、サイドフェンス部材の第２指示部が第２サイズ表示部のみを指示するので、互いに異なる指標基準に基づいて設定された各指標の示す値（サイズ）が比較的近く、当該指標同士が位置規定部上の近い位置に配置されている場合にも、サイドフェンス部材の各指示部が対応関係にないサイズ表示部の指標を意図に反して指示するのを抑制することができる。
【０００９】
上記請求項１に記載の用紙カセットにおいて、好ましくは、位置規定部は、サイドフェンス部材の移動方向と直交する方向の端部近傍に設けられ、第２サイズ表示部は、第１サイズ表示部よりもサイドフェンス部材側に配置され、第１指示部は、サイドフェンス部材の端部から位置規定部に向かって所定の突出量で突出するとともに、第２指示部は、第１指示部からサイドフェンス部材の移動方向に所定間隔を隔てた位置に設けられ、サイドフェンス部材の端部から位置規定部に向かって第１指示部の突出量よりも小さい突出量で突出するように構成されている（請求項２）。このように構成すれば、第１指示部および第２指示部の各突出量の違いだけで、サイドフェンス部材の各指示部が対応関係にないサイズ表示部の指標を意図に反して指示するのを抑制することができる。また、第１指示部および第２指示部に、所定間隔を隔てて同一方向に向かって突出させた状態で各々対応するサイズ表示部を指示させることができるので、第２サイズ表示部を第１サイズ表示部に対して上記所定間隔分だけサイドフェンス部材の移動方向にずらして配置することができる。これにより、互いに異なる指標基準に基づいて設定された各指標の示す値（サイズ）が比較的近い場合にも、それらの指標を位置規定部上の離れた位置に配置させることができる。
【００１０】
上記請求項１または２に記載の用紙カセットにおいて、第１指標基準は、インチ単位系であり、第２指標基準は、センチ単位系であることが好ましい（請求項３）。このように構成すれば、指標基準として使用頻度の高いインチ単位系およびセンチ単位系に基づく各指標を有する位置規定部を備えた用紙カセットにおいて、サイドフェンス部材が収容用紙のサイズと対応関係にない位置にセットされるのを抑制することができる。
【発明の効果】
【００１１】
上記請求項１に記載の用紙カセットによれば、サイドフェンス部材の各指示部が対応関係にないサイズ表示部の指標を意図に反して指示するのを抑制することができるので、用紙収容部に収容される用紙のサイズと異なる位置にサイドフェンス部材がセットされるのを抑制することができる。
【００１２】
上記請求項２に記載の用紙カセットによれば、第１指示部および第２指示部の各突出量の違いだけで、サイドフェンス部材の各指示部が対応関係にないサイズ表示部の指標を意図に反して指示するのを抑制することができるので、用紙収容部に収容される用紙のサイズと異なる位置にサイドフェンス部材がセットされるのを簡単な構成で抑制することができる。また、互いに異なる指標基準に基づいて設定された各指標を位置規定部上の離れた位置に配置させることができるので、サイドフェンス部材の各指示部が対応関係にないサイズ表示部の指標を意図に反して指示するのをより抑制することができる。これにより、用紙収容部に収容される用紙のサイズと異なる位置にサイドフェンス部材がセットされるのをより抑制することができる。
【００１３】
上記請求項３に記載の用紙カセットによれば、特に、インチ単位系に基づいて設定された８．５×１１サイズ（２１５．９ｍｍ）の指標、もしくは、センチ単位系に基づいて設定されたＡ４サイズ（２１０ｍｍ）の指標を指示する際に発生するサイドフェンス部材の位置合わせの誤操作（セットミス）を効率良く抑制することができる。
【発明を実施するための最良の形態】
【００１４】
以下、本発明の実施形態を図面に基づいて説明する。
【００１５】
図１は、本発明の一実施形態による用紙カセットを装着した複写機の全体構成を示した斜視図であり、図２〜図５は、図１に示した用紙カセットの構成を示した図である。まず、図１を参照して、本発明の一実施形態による用紙カセット３０を装着した複写機１の全体構成について説明する。
【００１６】
複写機１は、図１に示すように、原稿給送部（ＡＤＦ：原稿自動送り装置）１０ａにより搬送された原稿の画像を読み取って画像データを生成するための原稿読取部１０と、その画像データに基づいて用紙（記録紙）に印刷を行うための画像形成部２０と、画像形成部２０に対して用紙を供給するための上下一対の用紙カセット３０と、印刷後の用紙が排出される胴内排出部４０と、複写機１を操作するための操作表示部５０とを備えている。
【００１７】
本実施形態による一対の用紙カセット３０は、それぞれ、複写機１の本体に収納された収納位置（図１参照）と、複写機１の本体から前方に引き出された引出し位置とをスライド移動可能なように構成されている。すなわち、複写機１の本体側には、用紙カセット３０をスライド移動可能に支持するレール（図示せず）が取り付けられており、用紙カセット３０の左右の外側部は、当該レールに係合可能な形状に形成されている。この用紙カセット３０は、図２および図３に示すように、複数のサイズの用紙を収容可能な用紙収容部３１と、用紙収容部３１の前方に設けられ、用紙カセット３０を複写機１の本体に対してスライド移動させる際に把持する把持部３２ａ（図１参照）を有する前面カバー３２とを備えている。
【００１８】
用紙収容部３１は、複数枚の用紙を積載して収容可能なように凹状に形成されており、用紙収容部３１の内底面には、一対の平板状のサイドフェンス部材３３および３４と、ガイド部材３５と、インジケータ３６とが設けられている。なお、インジケータ３６は、本発明の「位置規定部」の一例である。平板状のサイドフェンス部材３３および３４は、互いの板面が対向するように用紙収容部３１内の前方および後方に各々立設されており、互いに連動してスライド移動可能なように構成されている。すなわち、サイドフェンス部材３３が後方に移動する際には、サイドフェンス部材３４が前方に移動し、サイドフェンス部材３３が前方に移動する際には、サイドフェンス部材３４が後方に移動するように構成されている。これらのサイドフェンス部材３３および３４は、用紙収容部３１に収容される用紙の対向する一対の辺に各々当接するように予め配置位置を規定されることによって、用紙収容（補給）時には、当該用紙に前後方向から挟み込むように当接して、用紙の前後方向の位置を規制する機能を有している。
【００１９】
また、ガイド部材３５は、図３に示すように、用紙収容部３１内の中央右寄りの位置に配設されており、用紙収容部３１内を左右方向にスライド移動可能なように構成されている。このガイド部材３５は、用紙収容部３１に収容される用紙に右方向から当接して、用紙の左右方向の位置を規制する機能を有している。すなわち、用紙収容部３１に収容された用紙は、用紙収容部３１の内壁と、一対のサイドフェンス部材３３および３４と、ガイド部材３５とにより四方から位置決め固定されるように構成されている。
【００２０】
また、インジケータ３６は、用紙収容部３１内の前方側に配設されたサイドフェンス部材３３の配置位置を、用紙収容部３１に収容される用紙のサイズに対応させて規定するために設けられている。このインジケータ３６は、図３に示すように、用紙収容部３１内の右前方のサイドフェンス部材３３の移動領域外に設けられている。
【００２１】
ここで、本実施形態では、インジケータ３６は、図４に示すように、左右方向において互いに異なる位置（領域）に形成されたインチサイズ表示部４１とセンチサイズ表示部４２とを含んでいる。なお、インチサイズ表示部４１およびセンチサイズ表示部４２は、それぞれ、本発明の「第１サイズ表示部」および「第２サイズ表示部」の一例である。詳細には、インチサイズ表示部４１およびセンチサイズ表示部４２は、その表示領域が部分的に重なるように構成されているが、センチサイズ表示部４２は、インチサイズ表示部４１に比べてサイドフェンス部材３３の移動領域により近い位置に設けられている。
【００２２】
インチサイズ表示部４１は、インチ単位系（第１指標基準）に基づいて設定された複数の指標４１ａを有しており、各指標４１ａは、それぞれ、サイドフェンス部材３３の配置位置を規定する際に、実質的にサイドフェンス部材３３に対する目印となる目印部４１ｂと、その目印部４１ｂにおける具体的なサイズが記載された表示部４１ｃとを有している。この指標４１ａの一例としては、図４および図５に示すように、５．５×８．５サイズ（１３９．７ｍｍ）、８．５×１１サイズ（２１５．９ｍｍ）、８．５×１４サイズ（２１５．９ｍｍ）、１１×１７サイズ（２７９．４ｍｍ）および１１×８．５サイズ（２７９．４ｍｍ）などが挙げられる。
【００２３】
また、センチサイズ表示部４２は、センチ単位系（第２指標基準）に基づいて設定された複数の指標４２ａを有しており、各指標４２ａは、それぞれ、サイドフェンス部材３３の配置位置を規定する際に、実質的にサイドフェンス部材３３に対する目印となる目印部４２ｂと、その目印部４２ｂにおける具体的なサイズが記載された表示部４２ｃとを有している。この指標４２ａの一例としては、Ａ５サイズ（１４８ｍｍ）、Ｂ５サイズ（１８２ｍｍ）、横置きのＡ４サイズ（２１０ｍｍ）、Ｂ４サイズ（２５７ｍｍ）およびＡ３／縦置きのＡ４サイズ（２９７ｍｍ）などが挙げられる。
【００２４】
また、本実施形態では、サイドフェンス部材３３のインジケータ３６側の端部には、図２および図３に示すように、インチ指標指示部５１およびセンチ指標指示部５２が設けられている。なお、インチ指標指示部５１およびセンチ指標指示部５２は、それぞれ、本発明の「第１指示部」および「第２指示部」の一例である。インチ指標指示部５１は、図５に示すように、サイドフェンス部材３３の前後方向へのスライド移動に伴って、インジケータ３６のインチサイズ表示部４１の各指標４１ａの目印部４１ｂを指示可能なように、サイドフェンス部材３３の後方側の面の端部からインジケータ３６に向かって所定の突出量で突出している。
【００２５】
また、センチ指標指示部５２は、図４に示すように、サイドフェンス部材３３の前後方向へのスライド移動に伴って、インジケータ３６のセンチサイズ表示部４２の各指標４２ａの目印部４２ｂを指示可能なように、サイドフェンス部材３３の前方側の面の端部からインジケータ３６に向かって上記インチ指標表示部５１の突出量とは異なる突出量で突出している。本実施形態では、センチサイズ表示部４２がインチサイズ表示部４１よりもサイドフェンス部材３３に近い位置に配置されていることから、インチ指標指示部５１の突出量がセンチ指標指示部５２の突出量に比べて大きくなるように構成されている。
【００２６】
また、センチ指標指示部５２は、インチ指標指示部５１から前方に向かって所定間隔（サイドフェンス部材３３の前後方向における厚み分）を隔てた位置に配設されている。これにより、インチ指標指示部５１およびセンチ指標指示部５２に、上記所定間隔を隔てて右方向に突出させた状態で各々のサイズ表示部４１および４２を指示させることができるので、センチサイズ表示部４２をインチサイズ表示部４１に対して上記サイドフェンス部材３３の厚み分だけ前方にずらして配置することができる。
【００２７】
次に、本実施形態による用紙カセット３０に用紙（記録紙）を補給する際には、まず、用紙カセット３０の前面カバー３２に設けられた把持部３２ａを把持して前方に引っ張ることにより、複写機１の本体から用紙カセット３０を引き出す。これにより、用紙カセット３０の用紙収容部３１が外部に露出した状態になる。
【００２８】
そして、たとえばＡ４サイズの用紙を用紙カセット３０に補給する場合には、サイドフェンス部材３３をスライド移動させて、図４に示すように、サイドフェンス部材３３のセンチ指標指示部５２の先端を、インジケータ３６のセンチサイズ表示部４２のうち「Ａ４」の表示部４２ｃを有する指標４２ａの目印部４２ｂに合わせる。これにより、サイドフェンス部材３３は、用紙収容部３１に収容される用紙のサイズ（Ａ４サイズ）に対応する位置に配置されることになる。また、このとき、サイドフェンス部材３４も上記サイドフェンス部材３３の移動に連動して所定方向にスライド移動する。このようにして、用紙収容部３１内には、一対のサイドフェンス部材３３および３４により所定の幅（この場合、Ａ４サイズの用紙の縦方向の長さ：２９７ｍｍ）を有する用紙収容領域が形成される。
【００２９】
また、たとえば８．５×１１サイズの用紙を用紙カセット３０に補給する場合には、サイドフェンス部材３３をスライド移動させて、図５に示すように、サイドフェンス部材３３のインチ指標指示部５１の先端を、インジケータ３６のインチサイズ表示部４１のうち「８．５×１１」の表示部４１ｃを有する指標４１ａの目印部４１ｂに合わせる。これにより、サイドフェンス部材３３は、用紙収容部３１に収容される用紙のサイズ（８．５×１１サイズ）に対応する位置に配置されることになる。また、このとき、サイドフェンス部材３４も上記サイドフェンス部材３３の移動に連動して所定方向にスライド移動する。このようにして、用紙収容部３１内には、一対のサイドフェンス部材３３および３４により所定の幅（この場合、８．５×１１サイズの用紙の縦方向の長さ：２１５．９ｍｍ）を有する用紙収容領域が形成される。
【００３０】
なお、上記サイドフェンス部材３３および３４の移動時に、用紙収容部３１のガイド部材３５も、上記用紙サイズ（Ａ４サイズおよび８．５×１１サイズ）に対応する位置に自動的にまたは手動により配置されるのが好ましい。
【００３１】
このようにして、用紙収容部３１に収容された用紙は、用紙収容部３１の左側の内壁面と一対のサイドフェンス部材３３および３４とガイド部材３５とにより形成された領域内にずれることなく収容される。そして、ユーザにより用紙カセット３０が複写機１の本体に収納された後、操作表示部５０において複写開始の指示操作が行われると、用紙収容部３１内の用紙は、一対のサイドフェンス部材３３および３４により確実にガイドされながら、画像形成部２０に向かってずれることなく順次搬送される。
【００３２】
本実施形態では、上記のように、インチ単位系に基づいて設定された指標４１ａを有するインチサイズ表示部４１とセンチ単位系に基づいて設定された指標４２ａを有するセンチサイズ表示部４２とを互いに異なる位置に設け、インチサイズ表示部４１の指標４１ａをサイドフェンス部材３３のインチ指標指示部５１により指示するとともに、センチサイズ表示部４２の指標４２ａをサイドフェンス部材３３のセンチ指標指示部５２により指示するように構成することによって、サイドフェンス部材３３のインチ指標指示部５１がインチサイズ表示部４１のみを指示するとともに、サイドフェンス部材３３のセンチ指標指示部５２がセンチサイズ表示部４２のみを指示するので、互いに異なる指標基準に基づいて設定された各指標の示す値（サイズ）が比較的近く、当該指標同士がインジケータ３６上の近い位置に配置されている場合にも、サイドフェンス部材３３の各指示部５１および５２が対応関係にないサイズ表示部の指標４２ａおよび４１ａを意図に反して指示するのを抑制することができる。これにより、用紙収容部３１に収容される用紙のサイズと異なる位置にサイドフェンス部材３３がセットされるのを抑制することができる。
【００３３】
また、本実施形態では、上記のように、センチ指標指示部５２を、インチ指標指示部５１から前方に所定間隔（サイドフェンス部材３３の前後方向における厚み分）を隔てたサイドフェンス部材３３の端部位置に設けることによって、インチ指標指示部５１およびセンチ指標指示部５２に、上記所定間隔を隔てて右方向に突出させた状態で各々のサイズ表示部４１および４２を指示させることができるので、センチサイズ表示部４２をインチサイズ表示部４１に対して上記サイドフェンス部材３３の厚み分だけ前方にずらして配置することができる。これにより、インチサイズ表示部４１における８．５×１１サイズ（２１５．９ｍｍ）の指標４１ａの目印部４１ｂと、センチサイズ表示部４２におけるＡ４サイズ（２１０ｍｍ）の指標４２ａの目印部４２ｂとを、インジケータ３６上の離れた位置に配置することができるので、サイドフェンス部材３３のインチ指標指示部５１がセンチサイズ表示部４２のＡ４サイズの指標４２ａを意図に反して指示したり、サイドフェンス部材３３のセンチ指標指示部５２がインチサイズ表示部４１の８．５×１１サイズの指標４１ａを意図に反して指示したりするのを十分に抑制することができる。
【００３４】
また、本実施形態では、上記のように、サイドフェンス部材３３のインチ指標指示部５１およびセンチ指標指示部５２の各突出量に違いを設けることにより、インチ指標指示部５１がインチサイズ表示部４１のみを指示するとともに、サイドフェンス部材３３のセンチ指標指示部５２がセンチサイズ表示部４２のみを指示するようにしたので、用紙収容部３１に収容される用紙のサイズと異なる位置にサイドフェンス部材３３がセットされるのを簡単な構成で抑制することができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
たとえば、上記実施形態では、インジケータ３６に、インチ単位系に基づく指標４１ａを有するインチサイズ表示部４１と、センチ単位系に基づく指標４２ａを有するセンチサイズ表示部４２との２つのサイズ表示部を設ける例について示したが、本発明はこれに限らず、上記２つのサイズ表示部に加えて、インチ単位系およびセンチ単位系以外の単位系に基づく指標を有する第３のサイズ表示部を、インチサイズ表示部４１およびセンチサイズ表示部４２とは異なる位置（領域）に設けてもよい。この場合、サイドフェンス部材３３にも、インチ指標指示部５１およびセンチ指標指示部５２に加えて、上記インジケータ３６の第３のサイズ表示部を指示する第３の指標指示部を設けるのが好ましい。
【００３７】
また、上記実施形態では、用紙サイズを規格化して示すための指標基準としてインチ単位系およびセンチ単位系を用いる例について示したが、本発明はこれに限らず、インチ単位系およびセンチ単位系以外の単位系を指標基準として用いてもよい。
【００３８】
また、上記実施形態では、本発明の用紙カセットを、画像形成装置の一例としての複写機に装着される用紙カセットに適用した例について示したが、本発明はこれに限らず、プリンタやファックスなどの画像形成装置に装着される用紙カセットにも適用可能である。
【００３９】
また、上記実施形態では、用紙収容部３１内の右前方のサイドフェンス部材３３の移動領域外に、サイドフェンス部材３３の配置位置を規定するインジケータ３６を設ける例について示したが、本発明はこれに限らず、上記インジケータ３６に加えて、用紙収容部３１内の右後方のサイドフェンス部材３４の移動領域外に、サイドフェンス部材３４の配置位置を規定するためのインジケータを設けてもよい。
【００４０】
また、上記実施形態において、サイドフェンス部材３３に設けられたインチ指標指示部５１およびセンチ指標指示部５２が各々異なる色で着色されていてもよい。この場合、インジケータ３６のインチサイズ表示部４１の指標４１ａおよびセンチサイズ表示部４２の指標４２ａも上記対応する指標指示部５１および５２と同様の色で着色されるのが好ましい。これにより、ユーザが、サイドフェンス部材３３の各指標指示部５１および５２と、インジケータ３６の各サイズ表示部の指標４１ａおよび４２ａとの対応関係をより明確に把握することができるので、用紙収容部３１に収容される用紙のサイズと異なる位置にサイドフェンス部材３３がセットされるのをより抑制することができる。
【図面の簡単な説明】
【００４１】
【図１】本発明の一実施形態による用紙カセットを装着した複写機の全体構成を示した斜視図である。
【図２】図１に示した一実施形態による用紙カセットを示した斜視図である。
【図３】図２に示した用紙カセットの平面図である。
【図４】図３に示した用紙カセットの位置規定部周辺を示した拡大図である。
【図５】図４に示した用紙カセットにおいてサイドフェンス部材を移動した状態を示した拡大図である。
【符号の説明】
【００４２】
３０  用紙カセット
３１  用紙収容部
３３  サイドフェンス部材
３６  インジケータ（位置規定部）
４１  インチサイズ表示部（第１サイズ表示部）
４１ａ、４２ａ  指標
４２  センチサイズ表示部（第２サイズ表示部）
５１  インチ指標指示部（第１指示部）
５２  センチ指標指示部（第２指示部）
【図１】
2007051002.tif 000003
【図２】
2007051002.tif 000004
【図３】
2007051002.tif 000005
【図４】
2007051002.tif 000006
【図５】
2007051002.tif 000007